(57)【要約】本発明に係る格闘技用ボディプロテクターは、着用者の胴体をカバーすることができる形状からなるボディカバー２１０、３１０と、前記ボディカバー２１０、３１０の上部に連結される形態の肩連結バンド２２０、３２０と、前記ボディカバー２１０、３１０の下部両側に連結する形態の腰連結バンド２３０、３３０と、前記肩連結バンド２２０、３２０と腰連結バンド２３０、３３０とを相互に連結するワイヤ２４０、３４０と、および前記ワイヤ２４０、３４０上に配置されるワイヤ調節モジュール２５０、３５０とを、含み、着用者が自ら前記ワイヤ調節モジュール２５０、３５０の調節ダイヤル２５３、３５３を回転する方式を介して、前記ワイヤ２４０、３４０の長さを調節する。【選択図】図３
2019501674.tif 000002
【特許請求の範囲】
【請求項１】
他人の助けなしで着用者が容易に着用可能な格闘技用ボディプロテクターであって、前記格闘技用ボディプロテクターは、
着用者の胴体をカバーすることができる形状からなるボディカバー（２１０、３１０）と、
前記ボディカバー（２１０、３１０）の上部に連結される形態の肩連結バンド（２２０、３２０）と、
前記ボディカバー（２１０、３１０）の下部両側を連結する形態の腰連結バンド（２３０、３３０）と、
前記格闘技用ボディプロテクターを締めたり緩めたりするように、少なくとも前記ボディカバー（２１０、３１０）、または前記肩連結バンド（２２０、３２０）、または前記腰連結バンド（２３０、３３０）の内部に配置されるワイヤ（２４０、３４０）と、および、
前記ワイヤ（２４０、３４０）上に配置されるワイヤ調節モジュール（２５０、３５０）とを、含み、
着用者が自らが、前記ワイヤ調節モジュール（２５０、３５０）が備えた調節ダイヤル（２５３、３５３）を回転する方式を通じて前記ワイヤ（２４０、３４０）の長さを調節する、格闘技用ボディカバー。
【請求項２】
前記ワイヤ調節モジュール（２５０、３５０）は、
前記ワイヤ（２４０、３４０）が、その内部を介して巻かれるワイヤ巻取部（２５１、３５１）、および前記ワイヤ巻取部（２５１、３５１）を介して前記ワイヤ（２４０、３４０）の出入を可能にするワイヤ貫通孔（２５５、３５５）を含み、前記調節ダイヤル（２５３、３５３）は、前記ワイヤ巻取部（２５１、３５１）上に回転可能に結合される請求項１に記載の格闘技用ボディプロテクター。
【請求項３】
前記ワイヤ調節モジュール（２５０、３５０）は、使用者の首、または背中、または腰部位に設置される請求項２に記載の格闘技用ボディプロテクター。
【請求項４】
前記ワイヤ調節モジュール（２５０、３５０）は、少なくとも一つ以上である請求項３に記載の格闘技用ボディプロテクター。
【請求項５】
ワイヤ（３４０）を覆うように、前記ボディカバー（３１０）の後方に配置される遮蔽板（３７０）をさらに含む請求項４に記載の格闘技用ボディプロテクター。
【請求項６】
他人の助けなしで着用者が容易に着用可能な格闘技用ボディプロテクターであって、前記格闘技用ボディプロテクターは、
着用者の胴体をカバーすることができる形状からなるボディカバー（２１０、３１０）と、
前記ボディカバー（２１０、３１０）の上部に連結される形態の肩連結バンド（２２０、３２０）と、
前記ボディカバー（２１０、３１０）の下部両側を連結する形態の腰連結バンド（２３０、３３０）と、
前記肩連結バンド（２２０、３２０）と腰連結バンド（２３０、３３０）を相互に連結するワイヤ（２４０、３４０）と、
前記ワイヤ（２４０、３４０）上に配置されるワイヤ調節モジュール（２５０、３５０）と、
前記ボディカバー（２１０）内に配置される感知センサー（２６０）と、および、
前記ワイヤ（３４０）を覆うように前記ボディカバー（３１０）の後方に配置される遮蔽板（３７０）とを、含み、
前記遮蔽板（３７０）は、通孔（３７４）が形成される伸縮部材として、附着材（３７２）を介して前記肩連結バンド（３２０）に形成される附着板（３２２）に分離可能に結合され、前記通孔（３７４）内に前記ワイヤ調節モジュール（３５０）が位置されるように前記肩連結バンド（３２０）に附着されることによって、前記ワイヤ（３４０）を全体的に覆うようにし、
前記感知センサー（２６０）は、前記格闘技用ボディプロテクターと離隔配置されるスタンド型サンドバッグ（１００）の打撃モジュール（１２０）に配置される打撃センサーと連動することにより、着用者の位置に対応した距離を感知し、
着用者が自らが、前記ワイヤ調節モジュール（２５０、３５０）の調節ダイヤル（２５３、３５３）を回転する方式を介して、前記ワイヤ（２４０、３４０）の長さを調節する、格闘技用ボディプロテクター。
【請求項７】
前記ワイヤ調節モジュール（２５０、３５０）は、
前記ワイヤ（２４０、３４０）が、その内部を介して巻かれるワイヤ巻取部（２５１、３５１）と、前記ワイヤ巻取部（２５１、３５１）上に回転可能に結合される調節ダイヤル（２５３、３５３）と、および前記ワイヤ巻取部（２５１、３５１）を介して前記ワイヤ（２４０、３４０）の出入を可能にするワイヤ貫通孔（２５５、３５５）とを、含む請求項６に記載の格闘技用ボディプロテクター。
【請求項８】
前記ワイヤ調節モジュール（３５０）は、着用者の首の後ろの部分に位置されるように前記肩連結バンド（３２０）の上部中央に配置され、前記ワイヤ（３４０）は、前記腰連結バンド（３３０）上に固定される連結の輪（３１２）を貫通した状態で、ジグザグの形態で交差して前記ワイヤ調節モジュール（３５０）に巻取される請求項７に記載の格闘技用ボディプロテクター。
【請求項９】
他人の助けなしで着用者が容易に着用可能な格闘技用ボディプロテクターであって、前記格闘技用ボディプロテクターは、
着用者の胴体をカバーすることができる形状からなるボディカバー（２１０、３１０）と、
前記ボディカバー（２１０、３１０）の上部に連結される形態の肩連結バンド（２２０、３２０）と、
前記ボディカバー（２１０、３１０）の下部両側に連結する形態の腰連結バンド（２３０、３３０）と、
ワイヤ（２４０、３４０）の引きまたは緩みを利用して、前記肩連結バンド（２２０、３２０と腰連結バンド（２３０、３３０）を機能的に連結するように、少なくとも前記ボディカバー（２１０、３１０）、または前記肩連結バンド（２２０、３２０）、または前記腰連結バンド（２３０、３３０）内に配置されるワイヤ（２４０、３４０）と、
前記ワイヤ（２４０、３４０）上に配置されるワイヤ調節モジュール（２５０、３５０）、および、
前記ワイヤ（３４０）を覆うように前記ボディカバー（３１０）の後方に配置される遮蔽板（３７０）とを、含み、
着用者が自らが、前記ワイヤ調節モジュール（２５０、３５０）の調節ダイヤル（２５３、３５３）を回転する方式を介して、前記ワイヤ（２４０、３４０）の長さを調節する、格闘技用ボディプロテクター。
【発明の詳細な説明】
【技術分野】
【０００１】
本発明は、格闘技用ボディプロテクターに関するもので、他人の助けなしで、使用者が容易に着用可能な格闘技用ボディプロテクターに関するものである。
【背景技術】
【０００２】
周知のように、テコンドーなどの格闘技の試合をするときは、キック、パンチ、手刀打ちなど、様々な攻撃が行われることから、このような攻撃が身体を直接打撃する場合、負傷につながるために、ヘッドギア、ボディプロテクター、手足プロテクターなどのプロテクターを着用した状態で、格闘技の試合は行われる。
【０００３】
これらの格闘技に使用されているプロテクターの中で、ボディプロテクターは、着用者の胴体と陰嚢を保護することができる形状のボディカバーおよびボディカバーの両側端部に固定紐が備えられていて、お互い縛って固定することができるようになっており、ボディカバーの上部には、ある程度の幅を持つ２つのたすきが固定され、それぞれのたすきは、その端部側でクロスされて、ボディカバーの両端部に固定されるように構成され、ボディカバーは、内部に衝撃緩和のためのパッドが内蔵され、外皮は、一般的に人工皮革、またはビニール素材からなり、これらの外皮を固定するために、全体的に所々返し縫いがされている。
【０００４】
一方、一般的に、ボディプロテクターを着用する過程を見ると、ボディカバーに付いた固定紐を緩めた状態で、使用者の上半身にボディカバーをかぶせた状態で、他の補助者が緩い状態の固定紐の長さを調節する作業を介して、使用者の身体に合うようにボディプロテクターを着用する。
【０００５】
上記のように、従来のボディプロテクターの着用方式では、使用者が一人で自分の体に合うように固定紐を調節する過程が難しかったという点があり、試合前だけでなく、試合中にも固定紐が緩んでいる場合には、使用者のゲームに集中を妨げることになるという欠点があった。また、他人が固定紐を調節する過程で、使用者本人の着用感に適合するように調整することは、非常に困難な作業であるという問題がある。
【先行技術文献】
【特許文献】
【０００６】
【特許文献１】韓国登録特許第２０−０４７５３４０号公報
【特許文献２】韓国登録特許第１０−０６６０４０５号公報
【発明の概要】
【発明が解決しようとする課題】
【０００７】
本発明は、ボディカバーに連結されるバンドの長さ調節を、使用者本人が直接できるようにすることで、他人の助けなしで使用者が容易に着用可能な格闘技用ボディプロテクターを提供することにある。
【課題を解決するための手段】
【０００８】
前記のような目的を達成するために、本発明は、他人の助けなしで、着用者が容易に着用可能な格闘技用ボディプロテクターであって、前記格闘技用ボディプロテクターは、着用者の胴体をカバーすることができる形状からなるボディカバー２１０、３１０と、前記ボディカバー２１０、３１０の上部に連結される形態の肩連結バンド２２０、３２０と、前記ボディカバー２１０、３１０の下部両側を連結する形態の腰連結バンド２３０、３３０と、少なくとも前記ボディカバー２１０、３１０内部に配列されるワイヤ２４０、３４０と、前記ワイヤ２４０、３４０上に配置されるワイヤ調節モジュール２５０、３５０とを、含み、着用者が自ら前記ワイヤ調節モジュール２５０、３５０が備える調節ダイヤル２５３、３５３を回転する方式を介して、前記ワイヤ２４０、３４０の長さを調節する格闘技用ボディプロテクターを提供する。
【０００９】
前記ワイヤ調節モジュール２５０、３５０は、使用者の首、または背中、または腰部位に設置することができる。また、前記ワイヤ調節モジュール２５０、３５０は、少なくとも一つ以上であることができる。
【００１０】
また、前記のような目的を達成するための本発明に係る格闘技用ボディプロテクターは、着用者の胴体をカバーすることができる形状からなるボディカバー２１０、３１０と、前記ボディカバー２１０、３１０の上部に連結される形態の肩連結バンド２２０、３２０と、前記ボディカバー２１０、３１０の下部両側を連結する形態の腰連結バンド２３０、３３０と、前記肩連結バンド２２０、３２０と腰連結バンド２３０、３３０を相互に連結するワイヤ２４、３４０と、および前記ワイヤ２４０、３４０上に配置されるワイヤ調節モジュール２５０、３５０とを、含み、着用者が自ら前記ワイヤ調節モジュール２５０、３５０の調節ダイヤル２５３、３５３を回転する方式を介して、前記ワイヤ２４０、３４０の長さを調節する。
【００１１】
前記ワイヤ調節モジュール２５０、３５０は、前記ワイヤ２４０、３４０がその内部を介して巻かれるワイヤ巻取部２５１、３５１と、前記ワイヤ巻取部２５１、３５１上に回転可能に結合される調節ダイヤル２５３、３５３と、および前記ワイヤ巻取部２５１、３５１を介して前記ワイヤ２４０、３４０の出入を可能にするワイヤ貫通孔２５５、３５５とを、含む。
【００１２】
前記ワイヤ調節モジュール３５０は、着用者の首の後ろの部分に位置するように前記肩連結バンド３２０の上部中央に配置され、前記ワイヤ３４０は、前記腰連結バンド３３０上に固定される連結の輪３１２を貫通した状態で、ジグザグ形態で交差して前記ワイヤ調節モジュール３５０に巻取される。
【発明の効果】
【００１３】
本発明に係る格闘技用ボディプロテクターは、使用者が調節ダイヤルを簡単に操作する過程を通じて、ワイヤの長さを調節することにより、使用者自らに、ボディプロテクターの着用および除去することを可能にする。
【００１４】
即ち、ボディカバーに連結されるバンドの長さ調節を、使用者本人が直接できるようにすることで、他人の助けなしで使用者が容易に着用可能になる。
【図面の簡単な説明】
【００１５】
【図１】本発明の一実施例に係る格闘技用ボディプロテクターの構成を示す図である。
【図２】格闘技用ボディプロテクターを構成するワイヤ調節モジュールの動作を示す図である。
【図３】本発明の他の実施例に係る格闘技用ボディプロテクターの構成を示す図である。
【図４】本発明の格闘技用ボディプロテクターを着用した使用者とスタンド型サンドバッグを示す図である。
【発明を実施するための形態】
【００１６】
以下では、添付された図面を参照して、本発明に係る好ましい実施例をより詳細に説明する。
【００１７】
本発明の説明に先立って、以下の特定の構造ないし機能の説明は、単に本発明の概念に係る実施例を説明するための目的のために例示されたもので、本発明の概念に係る実施例は、様々な形態で実施することができ、本明細書に説明された実施例に限定されるものと解釈されてはならない。
【００１８】
また、本発明の概念に係る実施例では、様々な変更を加えることができ、様々な形態を持つことができるので、特定の実施例を図面に例示し、本明細書に詳細に説明しようとする。しかし、これは本発明の概念に係る実施例を特定の開示形態に限定しようとするものではなく、本発明の思想及び技術範囲に含まれるすべての変更物、均等物ないし代替物を含むものと理解されるべきである。
【００１９】
添付された図１は、本発明の一実施形態に係る格闘技用ボディプロテクターの構成を示す図であり、図２は、格闘技用ボディプロテクターを構成するワイヤ調節モジュールの動作を示す図であり、図３は、本発明の他の実施例による格闘技用ボディプロテクターの構成を示す図であり、および図４は、本発明の格闘技用ボディプロテクターを着用した使用者とスタンド型サンドバッグを示す図である。
【００２０】
本発明の一実施例に係る格闘技用ボディプロテクター２００は、着用者の胴体をカバーすることができる形状からなるボディカバー２１０と、ボディカバー２１０の上部と中間部連結する形態の肩連結バンド２２０と、ボディカバー２１０の下部両側を連結する形態の腰連結バンド２３０と、肩連結バンド２２０、腰連結バンド２３０の前方側に連結されるワイヤ２４０と、ワイヤ２４０上に配置されるワイヤ調節モジュール２５０と、およびボディカバー２１０内に配置される感知センサー２６０とを、含む。
【００２１】
ボディカバー２１０は、一例として、図面上では胴体のみを保護するものとして示したが、他の例として、身体の陰嚢を一緒に保護する形態で構成することができる。
【００２２】
肩連結バンド２２０は、ボディカバー２１０の上部両側から後方に延長され、一対のバンドが「Ｘ」の形態で相互に交差して設けられる。前記肩連結バンド２２０は、ボディプロテクター２００の着用時、使用者の肩にかけられ、ボディカバー２１０を身体に固定させるために使用される。肩連結バンド２２０は、使用者の肩にかけられた状態で、肩との接触面が増加されるように、複数の布を相互に重なった状態で縫合処理して、広い幅を持つように製作することができる。前記肩連結バンド２２０は、着用時に使用者の肩に直接接触するようになる中央部の幅が、その両側端部の幅より広く製作することが好ましく、これにより、肩連結バンド２２０と、肩との接触面積を増大させて、着用過程でボディカバー２１０が有する重量による圧迫が、肩の一部に集中されず、全体に広がって広く分布されるようにして、ボディプロテクター２００の着用感を高める。
【００２３】
腰連結バンド２３０の場合も、肩連結バンド２２０と類似な製作形態を有することができる。即ち、複数の布を相互に重なった状態で縫合処理して、広い幅を持つように製作することと同時に、直接に荷重の多くを受けることができる腰の両側部分に接触する部分を、相対的に広く製作することが可能である。
【００２４】
ワイヤ２４０は、肩連結バンド２２０の上側部および腰連結バンド２３０の両側部上に配置される。ワイヤ２４０は、その一側が肩連結バンド２２０、または腰連結バンド２３０に連結された状態で、その他側は、ボディカバー２１０に結合された連結の輪２１２に締結される形態であることができる。
【００２５】
ワイヤ調節モジュール２５０は、ワイヤ２４０上に配置された状態で、使用者が直接に操作して、ワイヤ２４０の長さを増減させる機能をする。
【００２６】
ワイヤ調節モジュール２５０は、ワイヤ２４０が、その内部を介して巻かれるワイヤ巻取部２５１と、ワイヤ巻取部２５１上に回転可能に結合される調節ダイヤル２５３と、およびワイヤ巻取部２５１を介してワイヤ２４０の出入りを可能にするワイヤ貫通孔２５５とを、含む。
【００２７】
ワイヤ巻取部２５１は、その内部にワイヤ２４０が直接巻かれる形状の巻取ロール（図示せず）を備え、前記巻取りロールと調節ダイヤル２５３は解除可能な状態に結合する。動作過程を見ると、ワイヤ巻取部２５１で、回転可能な構造の巻取りロール上に、ワイヤが巻かれた状態で調節ダイヤル２５３を加圧して、調節ダイヤル２５３と巻取りロールを密着結合する。ここでは、調節ダイヤル２５３は、正方向への回転のみ可能であり、逆方向への回転は制限されることにより、巻取りロールの自由な回転を防止する。前記状態の下で、使用者は調節ダイヤル２５３を正方向にカチッカチッと音がするように、段階的に回転することにより、ワイヤ２４０の長さを減らすことができる。
【００２８】
一方、使用者がボディプロテクター２００を脱ごうとする場合には、調節ダイヤル２５３を引く過程を通じて、調節ダイヤル２５３と巻取りロールとの間の密着結合を解除する。これにより、巻取ロールの自由な回転が可能になって、前記巻取りロールが逆方向に回転することができるようになって、ワイヤ２４０の長さを調節してボディプロテクター２００を除去することができる。
【００２９】
以下、図３を参照して、本発明の他の実施例による格闘技用ボディプロテクターを説明する。以下、一実施例による格闘技用ボディプロテクター２００と同じ部分については、説明を省略して、異なる部分を中心に説明する。
【００３０】
格闘技用ボディプロテクター３００は、着用者の胴体をカバーすることができる形状からなるボディカバー３１０と、ボディカバー３１０の上部から連結されて、肩を保護する形態の肩連結バンド３２０と、ボディカバー３１０の下部両側を連結する形態の腰連結バンド３３０と、肩連結バンド３２０と腰連結バンド３３０の間を相互に連結するように設置されるワイヤ３４０と、ワイヤ３４０上に配置されるワイヤ調節モジュール３５０と、ボディカバー３１０内に配置される感知センサー（図示せず）と、およびワイヤ３４０を覆うように、ボディカバー３１０の後方に配置される遮蔽板３７０とを、含む。
【００３１】
肩連結バンド３２０は、ボディカバー３１０の上部から連結され、着用者の背中の中央に沿って長く降りてくる形状であることができる。ボディカバー３１０と肩連結バンド３２０は、一体型として連結部位の中央には、着用者の頭部が貫通して着用することができる。
【００３２】
腰連結バンド３３０は、ボディカバー３１０の両側から後方に延びる部分として、その上部には、着用者の腕が自由になるようなスペースが形成される。即ち、ボディカバー３１０の両側には、腰連結バンド３３０が延長され、ボディカバー３１０の上部からは、肩連結バンド３２０が延長される一体型の構造であることができる。
【００３３】
ワイヤ調節モジュール３５０は、肩連結バンド３２０の上部中央に配置される。即ち、着用者の首の後ろの頸椎部分に位置することになる。
【００３４】
ワイヤ３４０は、両側腰連結バンド３３０上に固定された連結の輪３１２を貫通した状態で、ジグザグの形態で交差する構成を介して、肩連結バンド３２０のワイヤ調節モジュール３５０に巻取される構成を有する。
【００３５】
または、ワイヤ３４０は、ボディカバー３１０の中に配置されて、腰連結バンド３３０と肩連結バンド３２０とを間接的に連結することができる。
【００３６】
または、ワイヤ３４０は、ボディカバー３１０と腰連結バンド３３０および／または肩連結バンド３２０との間に、断絶なく連続して配列することができる。
【００３７】
ワイヤ調節モジュール３５０は、ワイヤ３４０が、その内部を介して巻かれるワイヤ巻取部３５１と、ワイヤ巻取部３５１上に回転可能に結合される調節ダイヤル３５３と、およびワイヤ巻取部３５１を介してワイヤ３４０の出入を可能にするワイヤ貫通孔３５５とを、含む。
【００３８】
ワイヤ巻取部３５１は、その内部にワイヤ３４０が直接巻かれる形状の巻取ロール（図示せず）を備えて、前記巻取りロールと調節ダイヤル３５３は、解除可能な状態で結合する。動作過程を見ると、ワイヤ巻取部３５１で回転可能な構造の巻取りロール上にワイヤが巻かれた状態で、調節ダイヤル３５３を加圧して調節ダイヤル３５３と巻取りロールを密着結合する。ここでは、調節ダイヤル３５３は、正方向への回転のみ可能で、逆方向への回転は制限されることにより、巻取りロールの自由な回転を防止する。前記状態の下で、使用者は調節ダイヤル３５３を正方向にカチッとカチッと音がするように段階的に回転することにより、ワイヤ３４０の長さを減らすことができる。ここで、両側腰連結バンド３３０からワイヤ貫通孔３５５を介して、ワイヤ巻取部３５１に結束されるワイヤ３４０の両端は、巻取りロール上に形成された一対の固定突起（図示せず）にそれぞれ堅固に結ばれた状態であることができる。
【００３９】
ワイヤ調節モジュール３５０は、肩と腰の部分を連結して、格闘技用ボディプロテクター３００をタイトに締めたり緩めたりする役割をする。したがって、これらの機能を実行する限り、ワイヤ調節モジュール３５０の設置位置は、図示されたものに限られず、例えば、使用者の頸椎の下、背中、腰の部分に装着することができる。また、ワイヤ調節モジュール３５０の数も限定されず、複数存在することができる。例えば、ワイヤ調節モジュール３５０は、背中部位の脊椎を中心に、両側に設置することができる。
【００４０】
遮蔽板３７０は、通孔３７４が形成された伸縮部材として、附着材３７２を介して肩連結バンド３２０に形成された附着板３２２に、分離可能に結合される構造であることができる。即ち、遮蔽板３７０は、通孔３７４内にワイヤ調節モジュール３５０が位置するように、肩連結バンド３２０に附着されることにより、ワイヤ３４０を全体的に覆うことができる。一方、前記遮蔽板３７０は、格闘技用ボディプロテクター３００上に一体型に附着される構造であることもできる。
【００４１】
図４は、本発明に係るボディプロテクター２００を着用した使用者がスタンド型サンドバッグを利用して訓練を行うことができるシステムを提案する。
【００４２】
訓練システムは、スタンド型サンドバッグ１００と、およびボディプロテクター２００とを、含む。
【００４３】
スタンド型サンドバッグ１００は、本体１１０と、本体１１０から選択的に突出および後退が可能であるように構成された複数の打撃モジュール１２０と、およびトレーナーから加わる外力を通じて、複数の打撃モジュール１２０から感知される打撃を点数化して表示するディスプレイ部１６０とを、含む。ここで、本体１１０は、地面の上に配置されるベースボディ１１２と、およびベースボディ１１２の上部から上部方向に延長される打撃ボディ１１４とを、含む。ディスプレイ部１６０は、ベースボディ１１２の傾いた表面上に配置される複数のディスプレイ１６１、１６３を含む。前記複数のディスプレイ１６１、１６３は、打撃モジュール１２０から感知された打撃を点数化して表示する。
【００４４】
ボディプロテクター２００上の感知センサー２６０は、打撃モジュール１２０に配置される打撃センサーと連動することにより、使用者の位置に応じた距離を感知する。
【００４５】
前記システムは、テコンドーなどの格闘技の運動を行う場合に、使用者がボディプロテクター２００を自ら着用するまたは除去すると同時に、スタンド型サンドバッグ１００を利用して訓練をしたときに、撃破力および正確度を測定し、測定された値を表示してくれることにより、実質的な訓練を実行できるようにする。
【００４６】
以上のような技術的構成により、本発明の技術的課題が達成されるものであり、限られた実施例と図面によって説明されたが、これらに限定されず、本発明が属する技術分野で通常の知識を有する者によって極めて容易に、本発明の技術思想と、下に記載される特許請求の範囲の均等範囲内で多様な修正及び変形が可能なものであることは当然である。
【符号の説明】
【００４７】
２００、３００:ボディプロテクター
２１０、３１０:ボディカバー
２２０、３２０：肩連結バンド
２３０、３３０：腰連結バンド
２４０、３４０：ワイヤ
２５０、３５０：ワイヤ調節モジュール
２６０：感知センサー
３７０：遮蔽板
【図１】
2019501674.tif 000003
【図２】
2019501674.tif 000004
【図３】
2019501674.tif 000005
【図４】
2019501674.tif 000006
【国際調査報告】
2019501674.tif 000007
2019501674.tif 000008
2019501674.tif 000009
2019501674.tif 000010